(57)【要約】【課題】フェルールの光軸ズレを無段階に調整して精密に補正でき、且つ当該補正位置で容易、確実にフェルールを固定可能にする。【解決手段】カップリングスリーブ１内に挿入されるフェルールフレーム２およびストップリング５を回転可能にするようカップリングスリーブ１とフェルールフレーム２との嵌合部７ａ、７ｂおよびカップリングスリーブ１とストップリング５との嵌合部８ａ、８ｂをそれぞれ円形状に形成し、且つストップリング５の先端の係止爪５ａ、５ｂを、フェルールフレーム２の先端側外周に形成された係止溝２ｂ、２ｃに係合させ、円形状の嵌合部７ａ、７ｂ、８ａ、８ｂにおいてストップリング５とフェルールフレーム２を一体回転可能にし、カップリングスリーブ１の後端開口側に回転防止用の角筒状の凸部１ｄを設ける。【選択図】図１
2015148735.tif 000002
【特許請求の範囲】
【請求項１】
相手側コネクタアダプタと係合するよう先端から後方へ向けて斜めに係止レバーを備えた角筒状のカップリングスリーブと、
このカップリングスリーブ内に挿入される先端に光ファイバ心線のフェルールを有するフェルールフレームと、
このフェルールフレームの後端部外周に装着されて前記フェルールを前記カップリングスリーブ内の前方に付勢するスプリングと、
このスプリングの後端を支持するよう前記カップリングスリーブ内に嵌合するストップリングと、
このストップリングの後端部外周に装着されるブーツと、
を装備したＬＣ型光コネクタプラグであって、
前記カップリングスリーブ内に挿入される前記フェルールフレームおよびストップリングを回転可能にさせるよう当該カップリングスリーブと前記フェルールフレームとの嵌合部および当該カップリングスリーブと前記ストップリングとの嵌合部をそれぞれ円形状に形成し、且つ前記ストップリングの先端側に前方に向けて突設された係止爪を、前記フェルールフレームの先端側外周に形成された係止溝に係合させて、前記円形状の嵌合部において当該ストップリングとフェルールフレームとを一体回転可能とすることでフェルールの光軸ズレを無段階に調整して、その調整位置を前記スプリングのフェルールフレームおよびカップリングスリーブに対する押圧力で固定すべく成し、前記カップリングスリーブの後端開口側に回転防止用の角筒状の凸部を設けて成ることを特徴とするＬＣ型光コネクタプラグ。
【請求項２】
相手側コネクタアダプタと係合するよう先端から後方へ向けて斜めに係止レバーを備えた角筒状のカップリングスリーブと、
このカップリングスリーブ内に挿入される先端にフェルールを有するフェルールフレームと、
このフェルールフレームの後端部外周に装着されて前記フェルールを前記カップリングスリーブ内の前方に付勢するスプリングと、
このスプリングの後端を支持するよう前記カップリングスリーブ内に嵌合するストップリングと、
このストップリングの後端部外周に嵌合されるよう先端にカシメリングを備えた熱収縮チューブと、
該熱収縮チューブと前記カシメリング間で光ファイバコードの外皮を挟着しつつ当該熱収縮チューブの外周に装着されて前記ストップリングの後端部外周に嵌合されるブーツと、
該ブーツと前記ストップリングとの間に嵌合され、前記係止レバーに係合される操作レバーが外側面から斜め前方に向けて突出され、該操作レバーを押圧させることによって前記係止レバーをカップリングスリーブ側に近づく方向に変位させることができるものとしたＬＣフレームと、
を装備したＬＣ型光コネクタプラグであって、
前記カップリングスリーブ内に挿入される前記フェルールフレームおよびストップリングを回転可能にさせるよう当該カップリングスリーブと前記フェルールフレームとの嵌合部および当該カップリングスリーブと前記ストップリングとの嵌合部および当該ストップリングと前記ＬＣフレームとの嵌合部をそれぞれ円形状に形成し、且つ前記ストップリングの先端側に前方に向けて突設された係止爪を、前記フェルールフレームの先端側外周に形成された係止溝に係合させて、前記円形状の嵌合部において当該ストップリングとフェルールフレームとを一体回転可能とすることでフェルールの光軸ズレを無段階に調整して、その調整位置を前記スプリングのフェルールフレームおよびカップリングスリーブに対する押圧力で固定すべく成し、前記カップリングスリーブの後端開口側に回転防止用の角筒状の凸部を設けて成ることを特徴とするＬＣ型光コネクタプラグ。
【請求項３】
前記カップリングスリーブの後端開口側の角筒状の凸部内側に前記ストップリングをロックするための係止突起を設けたことを特徴とする請求項１または２記載のＬＣ型光コネクタプラグ。
【請求項４】
前記カップリングスリーブと嵌合する前記ＬＣフレームの前端開口側に角筒状の凸部を形成することでカップリングスリーブとの嵌合時に当該ＬＣフレームが回転しないようにしたことを特徴とする請求項２または３記載のＬＣ型光コネクタプラグ。
【請求項５】
前記カップリングスリーブの後端開口側に、前記ストップリング５の挿入時にカップリングスリーブが拡がることで当該ストップリング５を入れ易くし、且つ接着固定用の機能も兼ねたスリット溝を形成して成ることを特徴とする請求項１乃至４のいずれか記載のＬＣ型光コネクタプラグ。
【請求項６】
前記係止レバーは、ＬＣ型光コネクタプラグの相手側コネクタアダプタへの装着時に、当該係止レバーの根元部位に備えた左右対称位置に設けた係止片と共に相手側コネクタアダプタのプラグ挿入孔のガイドによって押圧され、当該係止片と共に下方へ変位しながら装着され、相手側コネクタアダプタのスリーブホルダにフェルール先端が嵌合すると同時に相手側コネクタアダプタのガイド奥側に上方に向けて形成されている段差に係止片が弾性的に係止されることで、係止片と相手側コネクタアダプタが係合され、一方、ＬＣ型光コネクタプラグの相手側コネクタアダプタからの抜脱時に、前記係止レバーの後方先端に備えた解除片を指先で持って押し下げることで、前記係止片と相手側コネクタアダプタの係合が解除され、当該相手側コネクタアダプタからのＬＣ型光コネクタプラグの抜脱が可能となることを特徴とする請求項１、３、５のいずれか記載のＬＣ型光コネクタプラグ。
【請求項７】
前記ＬＣフレームの操作レバーは、これを指先で持って押し下げることで前記係止レバーはカップリングスリーブ側に近づく方向に押圧変位させられ、前記係止片と相手側コネクタアダプタの係合が解除され、当該相手側コネクタアダプタからのＬＣ型光コネクタプラグの抜脱が可能となることを特徴とする請求項２乃至５のいずれか記載のＬＣ型光コネクタプラグ。
【発明の詳細な説明】
【技術分野】
【０００１】
本発明は、光ファイバを接続するときに用いられる係止レバー付のＬＣ型光コネクタプラグに係り、小型高密度のコネクタに対する装着および抜脱の操作性を向上させたＬＣ型光コネクタプラグに関する。
【背景技術】
【０００２】
従来、この種のＬＣ型光コネクタプラグとして、例えば本件出願人による先願である特許文献１に示すように、外周に環状溝もしくはリング型突起状の被嵌合部を形成して成るブーツと、該ブーツの被嵌合部に嵌合されるように内周にリング型突起状もしくは環状溝の嵌合部を備えた複数のブーツ挿入部が並設されたクリップ体（ＬＣフレーム）とを備え、前記クリップ体（ＬＣフレーム）は、弾性を有する素材にて形成されており、複数のブーツ挿入部にわたる外側面から突出プレート（操作レバー）が斜めに突出され、相手側コネクタと係合するように各プラグ本体（カップリングスリーブ）の先端から後方へ向けて斜めに設けられたラッチ片（係止レバー）が前記突出プレート（操作レバー）にそれぞれ係合され、突出プレート（操作レバー）をクリップ体（ＬＣフレーム）側に向けて押圧させることによって各ラッチ片（係止レバー）をプラグ本体（カップリングスリーブ）に近づく方向に変位させることができるものとし、さらに、前記ブーツの被嵌合部とクリップ体（ＬＣフレーム）のブーツ挿入部の嵌合部との相互に係止部を備えた光コネクタ連結構造体が提案されている。
【０００３】
特許文献１に示す光コネクタ連結構造体では、上記した構成によって、クリップ体（ＬＣフレーム）を介しての各ブーツの嵌合連繋によって各プラグ本体（カップリングスリーブ）が安定した保持状態を常に維持できるものとされている。特に、ケブラを有していない光コネクタ心線においては、ケブラが無いために製品自体が小型化されており、このため従来では単心のみにしか使用されていなかったのであるが、特許文献１によれば多心への変更が可能となるものとされている。
【０００４】
ところで、特許文献１の場合を含めて、従来では、図１７および図１８の従来図に示すように、フェルール２００が挿入されるプラグ本体（カップリングスリーブ）１００の内側は略六角形状の嵌合部１００Ａが形成され、当該フェルール２００の後部を保持するフェルールホルダー２００Ｂ先端側に設けられた六角形フランジ状の係合部２００Ａが前記嵌合部１００Ａに嵌合されることで、プラグ本体（カップリングスリーブ）１００に対してフェルール２００自体が回転できない構成となっている。
【０００５】
また、従来においては、図１９の従来図に示すように、突出プレート（操作レバー）３０２を一側面に有するクリップ体（ＬＣフレーム）３０１はストップリング３０３と一体型を成しており、クリップ体（ＬＣフレーム）３０１とストップリング３０３とは互いに相対回転できない構成となっている。また、光ファイバ心線タイプの場合に使用されるＬＣストップリング３０３は、図２０に示すように、角筒状に形成されており、プラグ本体（カップリングスリーブ）１００とは互いに相対回転できない構成となっている。
【０００６】
さらに、特許文献１の場合、クリップ体（ＬＣフレーム）のブーツ挿入部における両側上面部には、各先端側を水平に延長して固定板が形成されており、光コネクタ連結構造体として組み付けた際、当該固定板が、エクステンダーキャップの角型フランジの水平上面に当接され、これによって前記クリップ体（ＬＣフレーム）とエクステンダーキャップおよびブーツとの相互の動き（回転も含む）が阻止されるように保持されるものとなっている。
【先行技術文献】
【特許文献】
【０００７】
【特許文献１】特許第４８３３８０２号公報
【発明の概要】
【発明が解決しようとする課題】
【０００８】
しかしながら、従来および上記した特許文献１の場合においては、ストップリングとクリップ体（ＬＣフレーム）とが組み合わせ固定され、ストップリングは非回転の構造であると同時に、プラグ本体（カップリングスリーブ）に対してフェルール自体が回転できない構成となっていることから、偏心誤差を少なくするためのフェルールの位置合わせ、すなわちフェルールの光軸ズレの補正は、予め組み合わせ時に行なわれている。しかし、一般に光ファイバのコアは製造時の精度上、多少偏心していることが一般的である。したがって、光アダプタ内で、該光コネクタプラグの光ファイバ軸心のコアと、他方の光コネクタプラグの光ファイバ軸心のコアとを突き合わせて接続すると、両コア同志の光軸ズレ（偏心）が生じ、接続ロスがでる。
【０００９】
従来、組みたて後にフェルールの光軸ズレを補正する機構として、フェルールを回転させて接続ロスの最も少ない位置を決めたならば当該位置にフェルールを固定する位置決めキーを設けた光コネクタプラグが実用化されているが、無段階の調整が不可能であるため光軸ズレに対する精密な補正は困難であった。
【００１０】
そこで、本発明は、叙上のような従来存した諸事情に鑑み案出されたもので、組み立て後にフェルールと共にストップリングを相対的に回転させることにより、フェルールの光軸ズレを無段階に調整して精密に補正することが可能で、且つ位置決めキー等を使わなくても当該補正位置で容易、確実にフェルールを固定することが可能なＬＣ型光コネクタプラグを提供することを目的とする。
【課題を解決するための手段】
【００１１】
上述した課題を解決するために、本発明にあっては、相手側コネクタアダプタＱと係合するよう先端から後方へ向けて斜めに係止レバー１ａを備えた角筒状のカップリングスリーブ１と、
このカップリングスリーブ１内に挿入される先端に光ファイバ心線Ｒのフェルール２ａを有するフェルールフレーム２と、
このフェルールフレーム２の後端部外周に装着されて前記フェルール２ａを前記カップリングスリーブ１内の前方に付勢するスプリング４と、
このスプリング４の後端を支持するよう前記カップリングスリーブ１内に嵌合するストップリング５と、
このストップリング５の後端部外周に装着されるブーツ６と、
を装備したＬＣ型光コネクタプラグＰであって、
前記カップリングスリーブ１内に挿入される前記フェルールフレーム２およびストップリング５を回転可能にさせるよう当該カップリングスリーブ１と前記フェルールフレーム２との嵌合部７ａ、７ｂおよび当該カップリングスリーブ１と前記ストップリング５との嵌合部８ａ、８ｂをそれぞれ円形状に形成し、且つ前記ストップリング５の先端側に前方に向けて突設された係止爪５ａ（５ｂ）を、前記フェルールフレーム２の先端側外周に形成された係止溝２ｂ（２ｃ）に係合させて、前記円形状の嵌合部７ａ、７ｂ、８ａ、８ｂにおいて当該ストップリング５とフェルールフレーム２とを一体回転可能とすることでフェルール２ａの光軸ズレを無段階に調整して、その調整位置を前記スプリング４のフェルールフレーム２およびカップリングスリーブ１に対する押圧力で固定すべく成し、前記カップリングスリーブ１の後端開口側に回転防止用の角筒状の凸部１ｄを設けて成ることを特徴とする。
【００１２】
相手側コネクタアダプタＱと係合するよう先端から後方へ向けて斜めに係止レバー１ａを備えた角筒状のカップリングスリーブ１と、
このカップリングスリーブ１内に挿入される先端にフェルール２ａを有するフェルールフレーム２と、
このフェルールフレーム２の後端部外周に装着されて前記フェルール２ａを前記カップリングスリーブ１内の前方に付勢するスプリング４と、
このスプリング４の後端を支持するよう前記カップリングスリーブ１内に嵌合するストップリング５と、
このストップリング５の後端部外周に嵌合されるよう先端にカシメリング２１を備えた熱収縮チューブ２２と、
該熱収縮チューブ２と前記カシメリング２１間で光ファイバコードＫの外皮を挟着しつつ当該熱収縮チューブ２の外周に装着されて前記ストップリング５の後端部外周に嵌合されるブーツ６と、
該ブーツ６と前記ストップリング５との間に嵌合され、前記係止レバー１ａに係合される操作レバー３２が外側面から斜め前方に向けて突出され、該操作レバー３２を押圧させることによって前記係止レバー１ａをカップリングスリーブ１側に近づく方向に変位させることができるものとしたＬＣフレーム３１と、
を装備したＬＣ型光コネクタプラグＰであって、
前記カップリングスリーブ１内に挿入される前記フェルールフレーム２およびストップリング５を回転可能にさせるよう当該カップリングスリーブ１と前記フェルールフレーム２との嵌合部７ａ、７ｂおよび当該カップリングスリーブ１と前記ストップリング５との嵌合部８ａ、８ｂ、８ｃ、８ｄおよび当該ストップリング５と前記ＬＣフレーム３１との嵌合部９ａ、９ｂをそれぞれ円形状に形成し、且つ前記ストップリング５の先端側に前方に向けて突設された係止爪５ａ（５ｂ）を、前記フェルールフレーム２の先端側外周に形成された係止溝２ｂ（２ｃ）に係合させて、前記円形状の嵌合部７ａ、７ｂ、８ａ、８ｂ、９ａ、９ｂにおいて当該ストップリング５とフェルールフレーム２とを一体回転可能とすることでフェルール２ａの光軸ズレを無段階に調整して、その調整位置を前記スプリング４のフェルールフレーム２およびカップリングスリーブ１に対する押圧力で固定すべく成し、前記カップリングスリーブ１の後端開口側に回転防止用の角筒状の凸部１ｄを設けて成ることを特徴とする。
【００１３】
前記カップリングスリーブ１の後端開口側の角筒状の凸部１ｄ内側に前記ストップリング５をロックするための係止突起１０を設けたことを特徴とする。
【００１４】
前記カップリングスリーブ１と嵌合する前記ＬＣフレーム３１の前端開口側に角筒状の凸部３３を形成することでカップリングスリーブ１との嵌合時に当該ＬＣフレーム３１が回転しないようにしたことを特徴とする。
【００１５】
前記カップリングスリーブの後端開口側に、前記ストップリング５の挿入時にカップリングスリーブが拡がることで当該ストップリング５を入れ易くし、且つ接着固定用の機能も兼ねたスリット溝を形成して成ることを特徴とする。
【００１６】
前記係止レバー１ａは、ＬＣ型光コネクタプラグＰの相手側コネクタアダプタＱへの装着時に、当該係止レバー１ａの根元部位に備えた左右対称位置に設けた係止片１ｃと共に相手側コネクタアダプタＱのプラグ挿入孔のガイドＧによって押圧され、当該係止片１ｃと共に下方へ変位しながら装着され、相手側コネクタアダプタＱのスリーブホルダＳにフェルール２ａ先端が嵌合すると同時に相手側コネクタアダプタＱのガイド奥側に上方に向けて形成されている段差Ｌに前記係止片１ｃが弾性的に係止されることで、係止片１ｃと相手側コネクタアダプタＱが係合され、一方、ＬＣ型光コネクタプラグＰの相手側コネクタアダプタＱからの抜脱時に、前記係止レバー１ａの後方先端に備えた解除片１ｂを指先で持って押し下げることで、係止片１ｃと相手側コネクタアダプタＱの係合が解除され、当該相手側コネクタアダプタＱからのＬＣ型光コネクタプラグＰの抜脱が可能となることを特徴とする。
【００１７】
前記操作レバー３２は、これを指先で持って押し下げることで前記係止レバー１ａはカップリングスリーブ１側に近づく方向に押圧変位させられ、前記係止片１ｃと相手側コネクタアダプタＱの係合が解除され、当該相手側コネクタアダプタＱからのＬＣ型光コネクタプラグＰの抜脱が可能となることを特徴とする。
【発明の効果】
【００１８】
本発明によれば、組み立て後にフェルールと共にストップリングを相対的に回転させることにより、フェルールの光軸ズレを無段階に調整して精密に補正することが可能で、且つ位置決めキー等を使わなくても当該補正位置で容易、確実にフェルールを固定することが可能となる。
【００１９】
すなわち、本発明では、相手側コネクタアダプタＱと係合するよう先端から後方へ向けて斜めに係止レバー１ａを備えた角筒状のカップリングスリーブ１と、
このカップリングスリーブ１内に挿入される先端に光ファイバ心線Ｒのフェルール２ａを有するフェルールフレーム２と、
このフェルールフレーム２の後端部外周に装着されて前記フェルール２ａを前記カップリングスリーブ１内の前方に付勢するスプリング４と、
このスプリング４の後端を支持するよう前記カップリングスリーブ１内に嵌合するストップリング５と、
このストップリング５の後端部外周に装着されるブーツ６と、
を装備したＬＣ型光コネクタプラグＰであって、
前記カップリングスリーブ１内に挿入される前記フェルールフレーム２およびストップリング５を回転可能にさせるよう当該カップリングスリーブ１と前記フェルールフレーム２との嵌合部７ａ、７ｂおよび当該カップリングスリーブ１と前記ストップリング５との嵌合部８ａ、８ｂをそれぞれ円形状に形成し、且つ前記ストップリング５の先端側に前方に向けて突設された係止爪５ａ（５ｂ）を、前記フェルールフレーム２の先端側外周に形成された係止溝２ｂ（２ｃ）に係合させて、前記円形状の嵌合部７ａ、７ｂ、８ａ、８ｂにおいて当該ストップリング５とフェルールフレーム２とを一体回転可能とすることでフェルール２ａの光軸ズレを無段階に調整して、その調整位置を前記スプリング４のフェルールフレーム２およびカップリングスリーブ１に対する押圧力で固定すべく成し、前記カップリングスリーブ１の後端開口側に回転防止用の角筒状の凸部１ｄを設けて成るので、ＬＣ型光コネクタプラグＰ構造におけるカップリングスリーブ１に対し、フェルール２ａ、即ち光ファイバ心線Ｒを周方向へ回転して偏心誤差を無段階に調整、固定できることによって、上記偏心誤差を可能な限り少なくでき、両コア同志の突き合わせ時の接続ロスを大幅に減少させることができる。また、ＬＣ型光コネクタプラグＰを組み立て後でも、カップリングスリーブ１に対し、ストップリング５を、スプリング４、ブーツ６等とともに周方向へ回転してフェルール２ａ、即ち光ファイバを前後移動なく同じ位置で回転し、両コアの偏心誤差を容易、かつ確実に調整でき、両コア同志の突き合わせ時の接続ロスを大幅に減少させることができる。
【００２０】
相手側コネクタアダプタＱと係合するよう先端から後方へ向けて斜めに係止レバー１ａを備えた角筒状のカップリングスリーブ１と、
このカップリングスリーブ１内に挿入される先端にフェルール２ａを有するフェルールフレーム２と、
このフェルールフレーム２の後端部外周に嵌合されたフェルール用チューブ３を介して装着されて前記フェルール２ａを前記カップリングスリーブ１内の前方に付勢するスプリング４と、
このスプリング４の後端を支持するよう前記カップリングスリーブ１内に嵌合するストップリング５と、
このストップリング５の後端部外周に嵌合されるよう先端にカシメリング２１を備えた熱収縮チューブ２２と、
該熱収縮チューブ２と前記カシメリング２１間で光ファイバコードＫの外皮を挟着しつつ当該熱収縮チューブ２の外周に装着されて前記ストップリング５の後端部外周に嵌合されるブーツ６と、
該ブーツ６と前記ストップリング５との間に嵌合され、前記係止レバー１ａに係合される操作レバー３２が外側面から斜め前方に向けて突出され、該操作レバー３２を押圧させることによって前記係止レバー１ａをカップリングスリーブ１側に近づく方向に変位させることができるものとしたＬＣフレーム３１と、
を装備したＬＣ型光コネクタプラグＰであって、
前記カップリングスリーブ１内に挿入される前記フェルールフレーム２およびストップリング５を回転可能にさせるよう当該カップリングスリーブ１と前記フェルールフレーム２との嵌合部７ａ、７ｂおよび当該カップリングスリーブ１と前記ストップリング５との嵌合部８ａ、８ｂおよび当該ストップリング５と前記ＬＣフレーム３１との嵌合部９ａ、９ｂをそれぞれ円形状に形成し、且つ前記ストップリング５の先端側に前方に向けて突設された係止爪５ａ（５ｂ）を、前記フェルールフレーム２の先端側外周に形成された係止溝２ｂ（２ｃ）に係合させて、前記円形状の嵌合部７ａ、７ｂ、８ａ、８ｂ、９ａ、９ｂにおいて当該ストップリング５とフェルールフレーム２とを一体回転可能とすることでフェルール２ａの光軸ズレを無段階に調整して、その調整位置を前記スプリング４のフェルールフレーム２およびカップリングスリーブ１に対する押圧力で固定すべく成し、前記カップリングスリーブ１の後端開口側に回転防止用の角筒状の凸部１ｄを設けて成るので、ＬＣフレーム３１を備えたＬＣ型光コネクタプラグＰ構造におけるカップリングスリーブ１に対し、フェルール２ａ、即ち光ファイバ心線Ｒを周方向へ回転して偏心誤差を無段階に調整、固定できることによって、上記偏心誤差を可能な限り少なくでき、両コア同志の突き合わせ時の接続ロスを大幅に減少させることができる。また、ＬＣ型光コネクタプラグＰを組み立て後でも、カップリングスリーブ１およびＬＣフレーム３１に対し、ストップリング５を、スプリング４、ブーツ６等とともに周方向へ回転してフェルール２ａ、即ち光ファイバを前後移動なく同じ位置で回転し、両コアの偏心誤差を容易、かつ確実に調整でき、両コア同志の突き合わせ時の接続ロスを大幅に減少させることができる。
【００２１】
前記カップリングスリーブ１の後端開口側の角筒状の凸部１ｄ内側に前記ストップリング５をロックするための係止突起１０を設けることでストップリング５との嵌合時において互いに軸方向へのズレを防止することができる。
【００２２】
前記カップリングスリーブ１と嵌合する前記ＬＣフレーム３１の前端開口側に角筒状の凸部３３を形成することでカップリングスリーブ１との嵌合時に当該ＬＣフレーム３１が回転しないようにしたので、両コアの偏心誤差調整後におけるＬＣフレーム３１の不用意な回転によって調整位置が変位してしまうのを未然に防止することができる。
【００２３】
前記カップリングスリーブの後端開口側にスリット溝を形成して成るので、前記ストップリング５の挿入時にカップリングスリーブが拡がることで当該ストップリング５を入れ易くし、且つ接着固定用の機能も兼ねたものとすることができる。
【００２４】
前記係止レバー１ａは、ＬＣ型光コネクタプラグＰの相手側コネクタアダプタＱへの装着時に、当該係止レバー１ａの根元部位に備えた左右対称位置に設けた係止片１ｃと共に相手側コネクタアダプタＱのプラグ挿入孔のガイドＧによって押圧され、当該係止片１ｃと共に下方へ変位しながら装着され、相手側コネクタアダプタＱのスリーブホルダＳにフェルール２ａ先端が嵌合すると同時に相手側コネクタアダプタＱのガイド奥側に上方に向けて形成されている段差Ｌに前記係止片１ｃが弾性的に係止されることで、係止片１ｃと相手側コネクタアダプタＱが係合され、一方、ＬＣ型光コネクタプラグＰの相手側コネクタアダプタＱからの抜脱時に、前記係止レバー１ａの後方先端に備えた解除片１ｂを指先で持って押し下げることで、係止片１ｃと相手側コネクタアダプタＱの係合が解除され、当該相手側コネクタアダプタＱからのＬＣ型光コネクタプラグＰの抜脱が可能となるので、ＬＣ型光コネクタプラグＰの係止レバー１ａの操作による相手側コネクタアダプタＱからの抜脱時において光軸ズレを生起させないものとしたコネクタシステムを容易に構築することができる。
【００２５】
前記操作レバー３２は、これを指先で持って押し下げることで前記係止レバー１ａはカップリングスリーブ１側に近づく方向に押圧変位させられ、前記係止片１ｃと相手側コネクタアダプタＱの係合が解除され、当該相手側コネクタアダプタＱからのＬＣ型光コネクタプラグＰの抜脱が可能となるので、ＬＣ型光コネクタプラグＰの操作レバー３２の操作による相手側コネクタアダプタＱからの抜脱時において光軸ズレを生起させないものとしたコネクタシステムを容易に構築することができる。
【図面の簡単な説明】
【００２６】
【図１】本発明を実施するための一形態を示す光ファイバ心線タイプのＬＣ型光コネクタプラグの分解斜視図である。
【図２】同じくＬＣ型光コネクタプラグの分解断面図である。
【図３】組立後のＬＣ型光コネクタプラグの斜視図である。
【図４】同じくＬＣ型光コネクタプラグの側面図である。
【図５】同じくＬＣ型光コネクタプラグの縦断面図である。
【図６】カップリングスリーブの一例を示し、（ａ）は側面図、（ｂ）は正面図、（ｃ）は背面図、（ｄ）は（ｂ）のＸ−Ｘ断面図である。
【図７】フェルール（フェルールフレーム）の一例を示し、（ａ）は一部を断面で示した側面図、（ｂ）は正面図、（ｃ）は背面図、（ｄ）は平面図である。
【図８】ストップリングの一例を示し、（ａ）は平面図、（ｂ）は正面図、（ｃ）は背面図、（ｄ）は（ａ）のＹ−Ｙ断面図である。
【図９】他の実施形態における光ファイバコードタイプのＬＣ型光コネクタプラグの分解斜視図である。
【図１０】同じく他の実施形態における光ファイバコードタイプのＬＣ型光コネクタプラグの分解断面図である。
【図１１】同じく他の実施形態における光ファイバコードタイプのＬＣ型光コネクタプラグの組立後の斜視図である。
【図１２】同じく他の実施形態における光ファイバコードタイプのＬＣ型光コネクタプラグの組立後の側面図である。
【図１３】同じく他の実施形態における光ファイバコードタイプのＬＣ型光コネクタプラグの組立後の縦断面図である。
【図１４】同じく他の実施形態における操作レバーの一例を示し、（ａ）は側面図、（ｂ）は正面図、（ｃ）は背面図、（ｄ）は平面図である。
【図１５】同じく他の実施形態におけるストップリングの一例を示し、（ａ）は平面図、（ｂ）は正面図、（ｃ）は（ａ）のＺ−Ｚ断面図である。
【図１６．１】同じく（ａ）、（ｂ）は光ファイバコードタイプのＬＣ型光コネクタプラグの相手側コネクタアダプタに対する挿入操作手順を説明する断面図である。
【図１６．２】同じく（ｃ）、（ｄ）は光ファイバコードタイプのＬＣ型光コネクタプラグの相手側コネクタアダプタに対する挿抜操作手順を説明する断面図である
【図１６．３】同じく（ｅ）は光ファイバコードタイプのＬＣ型光コネクタプラグの相手側コネクタアダプタに対する抜脱後を説明する断面図である。
【図１７】従来例におけるカップリングスリーブを示し、（ａ）は側面図、（ｂ）は正面図、（ｃ）は背面図、（ｄ）は（ｃ）のＡ−Ａ断面図である。
【図１８】従来例におけるフェルール（フェルールフレーム）を示し、（ａ）は側面図、（ｂ）は正面図、（ｃ）は（ａ）のＢ−Ｂ断面図である。
【図１９】従来例におけるＬＣフレームを示し、（ａ）は側面図、（ｂ）は正面図、（ｃ）は背面図、（ｄ）は平面図である。
【図２０】従来例におけるストップリングを示し、（ａ）は側面図、（ｂ）は正面図、（ｃ）は背面図、（ｄ）は（ａ）のＣ−Ｃ断面図である。
【発明を実施するための形態】
【００２７】
以下、図面を参照して本発明に係るＬＣ型光コネクタプラグを実施するための最良の一形態について詳細に説明する。
【００２８】
本実施形態における光ファイバ心線ＲタイプのＬＣ型光コネクタプラグＰは、図１、図２、図３、図４、図５に示すように、カップリングスリーブ１に、フェルール２ａを先端に備えたフェルールフレーム２、フェルールフレーム２の後端部外周に嵌合されたフェルール用チューブ３、フェルール用チューブ３を介して装着されるコイル状のスプリング４が内蔵され、フェルールフレーム２に嵌合するストップリング５を介して後方にブーツ６が装着連設されて成る。
【００２９】
カップリングスリーブ１は、図６に示すように、相手側コネクタアダプタＱと係合するよう先端から後方へ向けて斜めに係止レバー１ａを備えた角筒状に形成され、その内側には、後述する前後一対の円形内周面７ｂ、８ｂを有する。また、前記カップリングスリーブ１の後端開口側には、回転防止用の角筒状の凸部１ｄが延設されている。そして、前記カップリングスリーブ１の後端開口側には、前記ストップリング５の挿入時にカップリングスリーブ１が拡がることで当該ストップリング５を入れ易くし、且つ接着固定用の機能も兼ねたスリット溝１１ａ、１１ｂを形成してある。これらスリット溝１１ａ、１１ｂは図示例ではカップリングスリーブ１の上下対称箇所に２個設けられているが、その位置や個数はこれに限定されない。さらに、前記カップリングスリーブ１の後端開口側の角筒状の凸部１ｄ内面片側には、前記ストップリング５をロックするための係止突起１０を設けてある。
【００３０】
前記係止レバー１ａは、ＬＣ型光コネクタプラグＰの相手側コネクタアダプタＱへの装着時に、当該係止レバー１ａの根元部位に備えた左右対称位置に設けた係止片１ｃと共に相手側コネクタアダプタＱのプラグ挿入孔のガイドＧによって押圧され、当該係止片１ｃと共に下方へ変位しながら装着され、相手側コネクタアダプタＱのスリーブホルダＳにフェルール２ａ先端が嵌合すると同時に相手側コネクタアダプタＱのガイド奥側に上方に向けて形成されている段差Ｌに前記係止片１ｃが弾性的に係止されることで、係止片１ｃと相手側コネクタアダプタＱが係合されるものとしてある（後述するＬＣフレーム３１がある場合の操作手順を示した図１６参照）。
【００３１】
一方、ＬＣ型光コネクタプラグＰの相手側コネクタアダプタＱからの抜脱時には、前記係止レバー１ａの後方先端に備えた解除片１ｂを指先で持って押し下げることで、係止片１ｃと相手側コネクタアダプタＱの係合が解除され、当該相手側コネクタアダプタＱからのＬＣ型光コネクタプラグＰの抜脱が可能となる（後述するＬＣフレーム３１がある場合の操作手順を示した図１６参照）。
【００３２】
フェルールフレーム２は、図７に示すように、拡大部２ｄの後部に小径のホルダ部２ｅが突設されて成り、拡大部２ｄの先端側には大径の円形突起７ａが形成され、当該円形突起７ａは前記カップリングスリーブ１の円形内周面７ｂに摺接されるようにしてある。そして、円形突起７ａ外周の上下対称箇所には、前記ストップリング５の先端側に前方に向けて上下一対となって突設された係止爪５ａ、５ｂを各係合するための内面が平坦な係止溝２ｂ、２ｃが形成されている。また、フェルールフレーム２の円形突起７ａの先端面中央には、光ファイバ心線Ｒが内挿されたフェルール２ａが嵌着されている。
【００３３】
ストップリング５は、図８に示すように、その先端側に前方に向けて上下一対となって係止爪５ａ、５ｂが突設されており、上記したようにフェルールフレーム２の円形突起７ａ外周の上下対称箇所に形成されている係止溝２ｂ、２ｃに係合することで当該フェルールフレーム２とストップリング５は共に一体回転可能としてある。また、ストップリング５の中間部外周には、前記カップリングスリーブ１の円形内周面８ｂに摺接させるための円形突起８ａが形成されている。なお、ストップリング５の略中央部分は、嵌合突部１２が形成されており、この部分が前記カップリングスリーブ１の後端開口側の角筒状の凸部１ｄ内側に設けられた円形内周面８ｂに嵌合する。また、ストップリング５の後端側はブーツ６が装着される。前記スプリング４は、前記フェルール２ａを前記カップリングスリーブ１内の前方に付勢し、前記ストップリング５は、スプリング４の後端を支持する。
【００３４】
上記したように、カップリングスリーブ１の前後一対の円形内周面７ｂ、８ｂに、フェルールフレーム２先端側の円形突起７ａ、ストップリング５の円形突起８ａが各摺接して成る。すなわち、円形突起７ａが円形内周面７ｂに摺接することで、カップリングスリーブ１と前記フェルールフレーム２とが互いに相対回転可能となる嵌合部が構成され、また円形突起８ａが円形内周面８ｂに摺接することで、カップリングスリーブ１と前記ストップリング５とが互いに相対回転可能となる嵌合部が構成される。
【００３５】
次に、本実施形態における光ファイバコードＫタイプのＬＣ型光コネクタプラグＰについて説明する。なお、この場合においては、上記した光ファイバ心線ＲタイプのＬＣ型光コネクタプラグＰと同じ構成部分には同じ符号を附すことでその詳細な説明を省略する。
【００３６】
図９、図１０、図１１、図１２、図１３に示すように、前記ストップリング５の後端部外周には、先端にカシメリング２１を備えた熱収縮チューブ２２が嵌合され、該熱収縮チューブ２２と前記カシメリング２１間で光ファイバコードＫの不図示の外皮を挟着しつつ当該熱収縮チューブ２の外周にブーツ６が装着される。このとき、前記ブーツ６と前記カップリングスリーブ１（カップリングスリーブ１に内蔵するストップリング５）との間には、前記係止レバー１ａ操作用のＬＣフレーム３１が設けられている。このＬＣフレーム３１は、前記係止レバー１ａの解除片１ｂに係合される操作レバー３２が外側面から斜め前方に向けて突出され、該操作レバー３２を押圧させることによって前記カップリングスリーブ１の係止レバー１ａをカップリングスリーブ１側に近づく方向に変位させることができるものとしてある。
【００３７】
光ファイバコードＫタイプのＬＣフレーム３１は、図１４に示すように、前記カップリングスリーブ１の凸部１ｄを内嵌合させるために、当該ＬＣフレーム３１の前端開口側に角筒状の凸部３３を形成し、カップリングスリーブ１との嵌合後には、カップリングスリーブ１に対してＬＣフレーム３１が回転しないようにしてある。すなわち、ＬＣフレーム３１の凸部３３の先端部内側に前記カップリングスリーブ１の凸部１ｄが嵌合することで、ＬＣフレーム３１とカップリングスリーブ１とが連結される。また、図１３および図１４に示すように、ＬＣフレーム３１の凸部３３寄り側の内周には、内径の大きな円形内周面８ｄが設けられ、ＬＣフレーム３１の操作レバー３２寄り側の内周には、内径の小さい円形内周面９ａが設けられている。さらに、図１４に示すように、ＬＣフレーム３１の前端開口側の凸部３３の上下対称箇所には、前記カップリングスリーブ１の後端開口側の上下対称箇所のスリット溝１１ａ、１１ｂに対向すべく、スリット溝３４ａ、３４ｂが形成されている。
【００３８】
光ファイバコードＫタイプのストップリング５は、図１５に示すように、上記した光ファイバ心線Ｒタイプのストップリング５よりも若干長尺となっており、前記円形突起８ａに加えて、その後方側に円形突起８ｃが設けられ、さらにこの後方側には、後側円周面９ｂを介して、カシメリング２１装着用の環状凹凸部５ｃが設けられている。
【００３９】
上記したストップリング５の円形突起８ｃは、前記ＬＣフレーム３１の凸部３３寄り内周の円形内周面８ｄに摺接され、ストップリング５の後側円周面９ｂは、ＬＣフレーム３１の操作レバー３２寄りの円形内周面９ａに摺接することで、ＬＣフレーム３１とストップリング５とが互いに相対回転可能となる嵌合部が構成される。
【００４０】
次に、以上のように構成された形態についての組立の一例について説明する。なお、以下の説明においては光ファイバコードＫタイプのＬＣ型光コネクタプラグＰの組立例について説明するが、光ファイバ心線ＲタイプのＬＣ型光コネクタプラグＰの組立例においても、ＬＣフレーム３１、カシメリング２１、熱収縮チューブ２２を除けば、略同一である。
【００４１】
まず、先端にフェルール２ａを備えたフェルールフレーム２の後端のホルダ部２ｅにフェルール用チューブ３を嵌着し、このフェルール用チューブ３を介してフェルールフレーム２の拡大部２ｄにスプリング４を外装しておく。そして、このフェルールフレーム２をカップリングスリーブ１内に挿入する。
【００４２】
一方、ストップリング５の後端部外周に、熱収縮チューブ２２先端のカシメリング２１を嵌合し、該熱収縮チューブ２２と前記カシメリング２１間で光ファイバコードＫの不図示の外皮を挟着しつつ当該熱収縮チューブ２を加熱収縮させて光ファイバコードＫに密着させる。そして、熱収縮チューブ２の外周からストップリング５の後端側の環状凹凸部５ｃを介してブーツ６を嵌着させておく。
【００４３】
次いで、ＬＣフレーム３１の凸部３３の先端部内側にカップリングスリーブ１の凸部１ｄを嵌合させることで、ＬＣフレーム３１とカップリングスリーブ１とを連結する。そして、前記ストップリング５の前部をカップリングスリーブ１内に、後端開口部から押し込んで、フェルールフレーム２の係止溝２ｂ、２ｃにストップリング５先端に突設された係止爪５ａ、５ｂを各嵌合して組み立ては完了する。
【００４４】
而して、フェルールフレーム２の円形突起７ａがカップリングスリーブ１の円形内周面７ｂに摺接することで、カップリングスリーブ１と前記フェルールフレーム２とが互いに相対回転可能となり、またストップリング５の円形突起８ａがカップリングスリーブ１の円形内周面８ｂに、またストップリング５の円形突起８ｃがＬＣフレーム３１の円形突起８ｄに、さらにストップリング５の後側円周面９ｂが、ＬＣフレーム３１の操作レバー３２寄りの円形内周面９ａに各摺接することで、カップリングスリーブ１と、前記ストップリング５および前記フェルールフレーム２とが互いに相対回転可能となる。
【００４５】
このように組み立てた後であってもカップリングスリーブ１と、前記ストップリング５および前記フェルールフレーム２とが互いに軸廻り方向へ回転可能となり、該ストップリング５の回転によってフェルール２ａを軸廻り方向へ回転することができる。このさい、フェルールフレーム２（フェルール２ａ）、コイルスプリング４、ストップリング５およびブーツ６は一体となって３６０度回転する。
【００４６】
そして、これら回転部材を利用してフェルール２ａの光軸ズレを無段階調整した後、その調整位置を、前記スプリング４のフェルールフレーム２およびカップリングスリーブ１に対する押圧力で固定する。しかし、このスプリング４の押圧力だけでは、組み立て後にブーツ６等を持って回されたとき、最適位置が移動するため、ストップリング５とカップリングスリーブ１の間にスリット溝１１ａ、１１ｂ（図６参照）を介して接着剤（図示しない）を充填して固定する。
【００４７】
上記した無段階調整は、前記のようにカップリングスリーブ１を固定し、ストップリング５を回転させても良いが、ストップリング５を固定し、カップリングスリーブ１を回転させるようにしても良い。そして、前者の場合、スプリング４の働きによりフェルール２ａは常に同じ位置で回転し、前後方向へ移動することがなくかつその押圧力も強弱なく均等である。したがって、一対のＬＣ型光コネクタプラグＰ同士をＬＣ型光コネクタアダプタＱを介して接続した際、フェルール２ａ同士を常に均一圧力をもって突き合せることができる。
【００４８】
次に、図１６を参照して光ファイバコードＫタイプのＬＣ型光コネクタプラグＰの相手側コネクタアダプタＱに対する挿脱操作手順を説明する。なお、以下の説明においては光ファイバコードＫタイプのＬＣ型光コネクタプラグＰの挿脱操作手順について説明するが、既述した光ファイバ心線ＲタイプのＬＣ型光コネクタプラグＰの挿脱操作手順においても、操作レバー３２を有するＬＣフレーム３１の操作を除けば、略同一である。
【００４９】
図１６（ａ）および図１６（ｂ）に示すように、ＬＣ型光コネクタプラグＰの相手側コネクタアダプタＱへの矢印Ａ方向への装着時に、係止レバー１ａは、当該係止レバー１ａの係止片１ｃと共に相手側コネクタアダプタＱのプラグ挿入孔のガイドＧによって押圧され、当該係止片１ｃと共に下方へ変位しながら装着される。このとき、係止レバー１ａの解除片１ｂは操作レバー３２から離反する。
【００５０】
図１６（ｃ）に示すように、相手側コネクタアダプタＱのスリーブホルダＳにフェルール２ａ先端が嵌合すると同時に相手側コネクタアダプタＱのガイド奥側に上方に向けて形成されている段差Ｌに前記係止片１ｃが弾性的に係止されることで、係止片１ｃと相手側コネクタアダプタＱが係合される。このとき、係止レバー１ａの解除片１ｂは操作レバー３２に接触する。
【００５１】
一方、ＬＣ型光コネクタプラグＰの相手側コネクタアダプタＱからの抜脱時には、図１６（ｄ）に示すように、操作レバー３２を指先で持って矢印Ｂ方向へ押し下げることで、係止レバー１ａの解除片１ｂが押下され、係止片１ｃと相手側コネクタアダプタＱの係合が解除され、図１６（ｅ）に示すように、相手側コネクタアダプタＱからのＬＣ型光コネクタプラグＰの抜脱が可能となる。
【００５２】
而して、本実施形態においては、光ファイバ心線Ｒタイプまたは光ファイバコードＫタイプのＬＣ型光コネクタプラグＰの組み立て後にフェルール２ａと共にストップリング５を相対的に回転させることにより、フェルール２ａの光軸ズレを無段階に調整して精密に補正することが可能で、且つ位置決めキー等を使わなくても当該補正位置で容易、確実にフェルール２ａを固定することが可能となる。
【００５３】
また、本実施形態においては、カップリングスリーブ１の内面片側に設けられた係止突起１０により、ストップリング５との嵌合時において互いに軸方向へのズレを防止することができる。
【００５４】
また、本実施形態においては、ＬＣフレーム３１の角筒状の凸部３３は、カップリングスリーブ１との嵌合時に当該ＬＣフレーム３１を回転させないため、両コアの偏心誤差調整後におけるＬＣフレーム３１の不用意な回転によって調整位置が変位してしまうのを未然に防止することができる。
【符号の説明】
【００５５】
Ｐ                      ＬＣ型光コネクタプラグ
Ｑ                      相手側光コネクタアダプタ
Ｒ                      光ファイバ心線
Ｋ                      光ファイバコード
Ｓ                      スリーブホルダ
Ｇ                      ガイド
Ｌ                      段差
１                      カップリングスリーブ
１ａ                    係止レバー
１ｂ                    解除片
１ｃ                    係止片
１ｄ                    凸部
２                      フェルールフレーム
２ａ                    フェルール
２ｂ、２ｃ              係止溝
２ｄ                    拡大部
２ｅ                    ホルダ部
３                      フェルール用チューブ
４                      スプリング
５                      ストップリング
５ａ、５ｂ              係止爪
５ｃ                    環状凹凸部
６                      ブーツ
７ａ、８ａ、８ｃ        円形突起（嵌合部）
７ｂ、８ｂ、８ｄ、９ａ  円形内周面（嵌合部）
９ｂ                    後側円周面（嵌合部）
１０                    係止突起
１１ａ、１１ｂ          スリット溝
１２                    嵌合突部
２１                    カシメリング
２２                    熱収縮チューブ
３１                    ＬＣフレーム
３２                    操作レバー
３３                    凸部
３４ａ、３４ｂ          スリット溝
１００                  プラグ本体（カップリングスリーブ）
１００Ａ                嵌合部
２００                  フェルール
２００Ａ                係合部
２００Ｂ                フェルールホルダー
３０１                  クリップ体（ＬＣフレーム）
３０２                  突出プレート（操作レバー）
３０３                  ストップリング（ＬＣストップリング）
【図１】
2015148735.tif 000003
【図２】
2015148735.tif 000004
【図３】
2015148735.tif 000005
【図４】
2015148735.tif 000006
【図５】
2015148735.tif 000007
【図６】
2015148735.tif 000008
【図７】
2015148735.tif 000009
【図８】
2015148735.tif 000010
【図９】
2015148735.tif 000011
【図１０】
2015148735.tif 000012
【図１１】
2015148735.tif 000013
【図１２】
2015148735.tif 000014
【図１３】
2015148735.tif 000015
【図１４】
2015148735.tif 000016
【図１５】
2015148735.tif 000017
【図１６．１】
2015148735.tif 000018
【図１６．２】
2015148735.tif 000019
【図１６．３】
2015148735.tif 000020
【図１７】
2015148735.tif 000021
【図１８】
2015148735.tif 000022
【図１９】
2015148735.tif 000023
【図２０】
2015148735.tif 000024